(57)【要約】      （修正有）【課題】横方向からの耐外力性を向上させる熱感知器を提供する。【解決手段】感熱センサが設けられた本体３と、本体３に装着されるプロテクタ１０と、感熱センサに接続され、プロテクタ１０で囲まれた空間内に配置される集熱板９と、を備えた熱感知器１において、プロテクタ１０は、一端が本体３の外周部に配置されて下方に延びる複数の脚部１２と、複数の脚部１２の他端に接続される円環状部１４と、を有し、円環状部１４は、内径が集熱板９の直径より大きく設定され、かつ、内周側に向かって放射状に突出する複数の突出部を有していることを特徴としている。【選択図】図１
2015043155.tif 000002
【特許請求の範囲】
【請求項１】
感熱センサが設けられた本体と、該本体に装着されるプロテクタと、前記感熱センサに接続され、前記プロテクタで囲まれた空間内に配置される集熱板と、を備えた熱感知器において、
前記プロテクタは、一端が前記本体の外周部に配置されて下方に延びる複数の脚部と、該複数の脚部の他端に接続される円環状部と、を有し、
該円環状部は、内径が前記集熱板の直径より大きく設定され、かつ、内周側に向かって放射状に突出する複数の突出部を有することを特徴とする熱感知器。
【請求項２】
隣接する前記突出部の先端を順次結んでなる円の直径は、前記集熱板の直径より小さいことを特徴とする請求項１記載の熱感知器。
【発明の詳細な説明】
【技術分野】
【０００１】
この発明は、火災を検出する熱感知器に関するものであり、特に、集熱板を備えた熱感知器に関するものである。
【背景技術】
【０００２】
一般的に、熱感知器の感熱センサには、集熱効率を向上させるために集熱板が装着されている。この集熱板は、円板状体であり、感熱センサに装着するための取付部を備えている。
【０００３】
また、熱感知器の本体外面には、集熱板を保護するためのプロテクタが備えられている。該プロテクタは円環状部と脚部とからなり、集熱板は該円環状部および脚部に囲まれた空間内に配置されている。そして、該円環状部の内径は、集熱板の直径よりも小さくなっており、集熱板が感熱センサから外れたときに、集熱板が床面まで落下しないようになっている。即ち、プロテクタの脚部と、集熱板との距離が短くなっている。（例えば、特許文献１参照）
【先行技術文献】
【特許文献】
【０００４】
【特許文献１】実開昭５４−０６４４８３号公報
【発明の概要】
【発明が解決しようとする課題】
【０００５】
しかしながら、プロテクタの脚部と、集熱板との距離が短いために、熱感知器本体に対し、側面から大きな外力が加えられた場合、プロテクタの脚部を介して集熱板に外力がかかることがあり、それにより集熱板が変形し、感度が悪くなってしまうという虞があった。
【０００６】
本発明は、このような問題に鑑みてなされたもので、側面から大きな外力が加えられた場合であっても、集熱板が変形しない熱感知器を提供することを目的とする。
【課題を解決するための手段】
【０００７】
本発明は、感熱センサが設けられた本体と、該本体に装着されるプロテクタと、感熱センサに接続され、プロテクタで囲まれた空間内に配置される集熱板と、を備えた熱感知器において、プロテクタは、一端が本体の外周部に配置されて下方に延びる複数の脚部と、該複数の脚部の他端に接続される円環状部と、を有し、  該円環状部は、内径が集熱板の直径より大きく設定され、かつ、内周側に向かって放射状に突出する複数の突出部を有することを特徴とするものである。
【発明の効果】
【０００８】
本発明は、プロテクタの該円環状部の内径が、集熱板の直径より大きく設定されるため、円環状部に連結される複数の脚部と集熱板との距離が従来よりも長くなるので、熱感知器が側面方向からの大きな外力を受けたとしても、集熱板はプロテクタにより確実に保護され、集熱板が変形することがなくなる。
【０００９】
また、円環状部が、内周側に向かって放射状に突出する複数の突出部を有するので、集熱板が感熱センサから外れたとしても、集熱板は該突出部で保持されるため、集熱板の床面までの落下を防ぐことができる。
【００１０】
即ち、本発明の熱感知器によれば、集熱板を落下させることなく、かつ耐外力性を高めることができる。
【図面の簡単な説明】
【００１１】
【図１】本発明の実施の形態に係る熱感知器の側面図である。
【図２】本発明の実施の形態に係る熱感知器の底面図である。
【図３】本発明の実施の形態に係る熱感知器の斜視図である。
【発明を実施するための形態】
【００１２】
この発明の実施の形態を図１乃至図３により説明する。
熱感知器１は、本体３と、該本体３に装着されるプロテクタ１０とを備えている。熱感知器１は、天井面等の設置面に、本体３を取付ネジ等で螺着させることで設置される。前記本体３の中央には、センサ収納部５が設けられ、該センサ収納部５には、感熱センサ７が配設されている。感熱センサ７は、本体３の中心軸上に配置されている。
【００１３】
感熱センサ７は、バイメタル、サーミスタ、サーモスタット等から構成されている。この感熱センサ７は、図示しない回路基板に接続されており、この回路基板には、他にも電気部品が実装されている。そして、センサ収納部５内には、充填剤が充填され、シールされている。
【００１４】
感熱センサ７の感熱部には、集熱板９が装着されている。集熱板９は、例えば、アルミ薄板で形成された円板状体からなる。そして、図１及び図２に示すように、集熱板９には、中央部に設けられ、感熱センサ７の感熱部に連結される取付穴９ｄと、外周部に立設された折曲部９ｅと、中央部から外周部に向かって所定ピッチで放射状に設けられたスリット孔（細孔）９ａと、該スリット孔９ａの開口縁に立設され、半径方向に伸びる切り起こし片９ｂと、前記スリット孔９ａと折曲部９ｅとの間に設けられ、周方向に所定間隔をおいて複数配設された流通孔９ｃと、が設けられている。
【００１５】
前記スリット孔９ａは末広がり状に放射状に形成され、又、切り起こし片９ｂは垂直状に立設され、前記スリット孔９ａとほぼ同じ形状をしている。このスリット孔９ａは、例えば、プレス成形によって切り起こし片９ｂを形成することにより発生する穴である。このスリット孔９ａの形状や大きさ等は、必要に応じて適宜選択される。又、前記流通孔９ｃは、長方形状に形成されているが、必ずしもこの形状に限定されるものではなく、その形状や大きさ等は、必要に応じて適宜選択することができる。  前記本体３の下部には、集熱板９を保護するためのプロテクタ１０が装着されている。プロテクタ１０は、装着部１１と複数の脚部１２と円環状部１４とを有しており、複数の脚部１２及び円環状部１４に囲まれてなる空間内に、集熱板９を位置させることで、集熱板９を保護する役割を担っている。
【００１６】
装着部１１は、円環状に形成されており、本体３の外面側の外周部に、図示しない係合手段によって取り付けられている。
【００１７】
脚部１２は、一端が装着部１１に連結されて、本体３の外面側の外周部に配置されており、他端が円環状部１４に接続している。即ち、脚部１２は、装着部１１と円環状部１４とを結ぶように本体３の下方に延びる柱状の部材であり、脚部１２のそれぞれの柱状の部材は、本体３側から円環状部１４側に向かって内側に傾斜している。そして、脚部１２は複数（例えば、８本）あり、各脚部１２は等間隔に同一円周上に設けられている。また、脚部１２は、基端（本体３側）から先端（円環状部１４側）に向かうに従って幅が狭まっていく形状をしている。
【００１８】
円環状部１４は、全ての脚部１２と接続する部材であり、設置状態において、集熱板９より下方に位置することになる。また、複数の脚部１２及び円環状部１４は、集熱板９と同一軸心上に設けられており、円環状部１４の内径は、集熱板９の直径より大きく設定されている。即ち、円環状部１４と集熱板９との距離はどこも等しく、ある程度の距離（後述する突出部１６の長さよりも短い水平距離）を保っている。同様に、円環状部１４に連結される複数の脚部１２のそれぞれと集熱板９との距離はいずれも等しく、従来よりもその距離が長くなっている。
【００１９】
これにより、熱感知器１に対する側面からの外力を受けた瞬間に、複数の脚部１２が一時的に変形したとしても、脚部１２の変形した部分は集熱板９に衝突することはないため、集熱板９に外力が伝わることはなく、集熱板９が変形することがない。さらに、円環状部１４の内径を集熱板９の直径より大きくすることで、従来のような円環状部の内径が集熱板の内径より小さな熱感知器に比べて、集熱板９とプロテクタ１０との間にある程度の距離（空間）があるため、熱気流が集熱板９に当たることをプロテクタ１０が邪魔せず、感度が向上する。
【００２０】
円環状部１４には、内周側に向かって放射状に突出する突出部１６が複数設けられている。突出部１６は、円環状部１４の内周と集熱板９の外周との水平距離より長く設定されている。つまり、隣接する突出部１６の先端を順次結んでなる円の直径が、集熱板９の直径より小さい。
【００２１】
これにより、仮に集熱板９が外れてしまった場合であっても、集熱板９を突出部１６により保持することができ、集熱板９が床面まで落下することを防ぐことができる。
【００２２】
なお、突出部１６は、幅がどこも等しく、脚部１２の先端（円環状部１４側）よりも短い幅に形成されている。
【００２３】
また、円環状部１４における突出部１６と、脚部１２の円環状部１４側の先端部（他端部）が接続する位置は同じである。即ち、脚部１２のそれぞれの柱状の部材の本数と、突出部１６の本数は等しく、脚部１２が８本の柱状部材からなっていれば、突出部１６も８本あることになる。
【００２４】
また、装着部１１、脚部１２、円環状部１４及び突出部１６とは一体的に成形されるものである。
【００２５】
以上説明したように、本発明は、感熱センサ７が設けられた本体３と、本体３に装着されるプロテクタ１０と、感熱センサ７に接続され、プロテクタ１０で囲まれた空間内に配置される集熱板９と、を備えた熱感知器１において、プロテクタ１０は、一端が本体３の外周部に配置されて下方に延びる複数の脚部１２と、複数の脚部１２の他端に接続される円環状部１４と、を有し、円環状部１４は、内径が集熱板９の直径より大きく設定され、かつ、内周側に向かって放射状に突出する複数の突出部１６を有していることを特徴としている。
【００２６】
また、隣接する突出部１４の先端を順次結んでなる円の直径は、集熱板９の直径より小さいことを特徴としている。
【００２７】
これにより、集熱板９の落下を防ぐと共に、熱感知器１の側面方向からの耐外力性の向上、さらには感度の向上という効果を得ることができる。
【符号の説明】
【００２８】
１    熱感知器
３    本体
５    センサ収容部
７    感熱センサ
９    集熱板
９ａ  スリット孔
９ｂ  切り起こし片
９ｃ  流通孔
９ｄ  取付穴
９ｅ  屈曲部
１０    プロテクタ
１１    装着部
１２    脚部
１４    円環状部
１６    突出部
【図１】
2015043155.tif 000003
【図２】
2015043155.tif 000004
【図３】
2015043155.tif 000005